(57)【特許請求の範囲】
【請求項１】
印刷機能を有する画像処理装置で印刷された画像を復元画像閲覧クライアントからの復元要求により復元可能な印刷画像復元装置であって、
印刷要求を行う印刷クライアントからの印刷データを前記画像処理装置へ転送する印刷サーバで、前記印刷クライアントから前記画像処理装置に送信されて前記画像処理装置で印刷される印刷データから複写された印刷データを受信する受信手段と、
前記画像処理装置から取得され、前記印刷データを印刷に利用する色数の展開画像へ変換する展開画像変換手段と、
前記展開画像を汎用形式の画像データに変換する画像データ変換手段と、
前記画像データを蓄積する蓄積手段と、
前記復元画像閲覧クライアントからの復元要求に応じた前記画像データを前記蓄積手段から読み出して前記復元要求の要求元の復元画像閲覧クライアントへ送信する送信手段と
を有する印刷画像復元装置。
【請求項２】
前記印刷データに対応する前記展開画像変換手段が無いとき、前記画像処理装置から前記印刷データに対応する前記展開画像変換手段を取得する管理手段を更に有する請求項１記載の印刷画像復元装置。
【請求項３】
前記管理手段は、取得済みの前記展開画像変換手段をリストにより管理していることを特徴とする請求項２記載の印刷画像復元装置。
【請求項４】
前記展開画像変換手段は、前記画像処理装置に搭載されたプリンタアプリケーションであることを特徴とする請求項１乃至３何れか一項記載の印刷画像復元装置。
【請求項５】
印刷機能を有する画像処理装置で印刷された画像を復元画像閲覧クライアントからの復元要求により復元可能な印刷画像復元装置の印刷画像復元方法であって、
前記印刷画像復元装置が、
印刷要求を行う印刷クライアントからの印刷データを前記画像処理装置へ転送する印刷サーバで、前記印刷クライアントから前記画像処理装置に送信されて前記画像処理装置で印刷される印刷データから複写された印刷データを受信する受信ステップと、
前記画像処理装置から取得され、前記印刷データを印刷に利用する色数の展開画像へ変換する展開画像変換ステップと、
前記展開画像を汎用形式の画像データに変換する画像データ変換ステップと、
前記画像データを蓄積手段に蓄積する蓄積ステップと、
前記復元画像閲覧クライアントからの復元要求に応じた前記画像データを前記蓄積手段から読み出して前記復元要求の要求元の復元画像閲覧クライアントへ送信する送信ステップと
を有する印刷画像復元方法。
【請求項６】
印刷機能を有する画像処理装置と、印刷要求を行う印刷クライアントからの印刷データを前記画像処理装置へ転送する印刷サーバと、前記画像処理装置で印刷された画像を復元画像閲覧クライアントからの復元要求により復元可能な印刷画像復元装置とを有する印刷画像復元システムであって、
前記印刷サーバは、前記印刷要求を行う印刷クライアントからの印刷データを前記画像処理装置へ転送すると共に、前記印刷クライアントから前記画像処理装置に送信されて前記画像処理装置で印刷される印刷データから複写した印刷データを前記印刷画像復元装置へも転送する印刷データ転送手段を有し、
前記印刷画像復元装置は、
前記印刷サーバで、前記印刷クライアントから前記画像処理装置に送信されて前記画像処理装置で印刷される印刷データから複写された印刷データを前記印刷データ転送手段から受信する受信手段と、
前記画像処理装置から取得され、前記印刷データを印刷に利用する色数の展開画像へ変換する展開画像変換手段と、
前記展開画像を汎用形式の画像データに変換する画像データ変換手段と、
前記画像データを蓄積する蓄積手段と、
前記復元画像閲覧クライアントからの復元要求に応じた前記画像データを前記蓄積手段から読み出して前記復元要求の要求元である前記復元画像閲覧クライアントへ送信する送信手段と
を有する印刷画像復元システム。
【請求項７】
前記印刷データに対応する前記展開画像変換手段が無いとき、前記画像処理装置から前記印刷データに対応する前記展開画像変換手段を取得する管理手段を更に有する請求項６記載の印刷画像復元システム。
【請求項８】
前記管理手段は、取得済みの前記展開画像変換手段をリストにより管理していることを特徴とする請求項７記載の印刷画像復元システム。
【請求項９】
前記展開画像変換手段は、前記画像処理装置に搭載されたプリンタアプリケーションであることを特徴とする請求項６乃至８何れか一項記載の印刷画像復元システム。
【発明の詳細な説明】
【技術分野】
【０００１】
本発明は、印刷画像復元装置、印刷画像復元方法及び印刷画像復元システムに係り、特に印刷機能を有する画像処理装置で印刷された画像を要求により復元可能な印刷画像復元装置、印刷画像復元方法及び印刷画像復元システムに関する。
【背景技術】
【０００２】
近年のセキュリティ意識の高まりに伴い、企業等ではプリンタや複合機等で、どのような文書が印刷されたかを後で確認できるように印刷した印刷データをプリントサーバ等へ蓄積しておくようになった（例えば特許文献１参照）。
【０００３】
特許文献１のプリントサーバでは、印刷データをプリンタへ出力した後、印刷データを保持しておき、後で必要となったときに、保持している印刷データを再利用してプリンタから出力させていた。
【特許文献１】特開２００４−１６４０１０号公報
【発明の開示】
【発明が解決しようとする課題】
【０００４】
例えば特許文献１のプリントサーバでは、プリンタや複合機等で、どのような文書が印刷されたかを後で確認しようとする場合、印刷データをプリンタへ出力して印刷しなければならず、必ずしも使い勝手がよいものではなかった。プリントサーバが保持している印刷データを使用者に確認させる使い勝手のよい形態としては、プリントサーバにＬＡＮ等のネットワーク経由で接続されたクライアントで、印刷データを画像により確認させることが考えられる。
【０００５】
しかしながら、プリントサーバが保持している印刷データはプリンタに印刷させる為の印刷データであり、専用のアプリケーションが無ければプリントサーバ側又はクライアント側で画像に変換することができなかった。
【０００６】
従って、従来のプリントサーバでは保持している印刷データを使用者に画像で確認させる為に、印刷データを画像に変換する専用のアプリケーションをプリントサーバ側又はクライアント側で用意しておかなければならなかった。
【０００７】
本発明は、上記の点に鑑みなされたもので、印刷機能を有する画像処理装置で印刷された画像を容易に復元でき、使用者にとって使い勝手のよい印刷画像復元装置、印刷画像復元方法及び印刷画像復元システムを提供することを目的とする。
【課題を解決するための手段】
【０００８】
上記課題を解決するため、本発明は、印刷機能を有する画像処理装置で印刷された画像を復元画像閲覧クライアントからの復元要求により復元可能な印刷画像復元装置であって、印刷要求を行う印刷クライアントからの印刷データを前記画像処理装置へ転送する印刷サーバで、前記印刷クライアントから前記画像処理装置に送信されて前記画像処理装置で印刷される印刷データから複写された印刷データを受信する受信手段と、前記画像処理装置から取得され、前記印刷データを印刷に利用する色数の展開画像へ変換する展開画像変換手段と、前記展開画像を汎用形式の画像データに変換する画像データ変換手段と、前記画像データを蓄積する蓄積手段と、前記復元画像閲覧クライアントからの復元要求に応じた前記画像データを前記蓄積手段から読み出して前記復元要求の要求元の復元画像閲覧クライアントへ送信する送信手段とを有することを特徴とする。
【０００９】
前記印刷データに対応する前記展開画像変換手段が無いとき、前記画像処理装置から前記印刷データに対応する前記展開画像変換手段を取得する管理手段を更に有するようにしてもよい。
【００１０】
前記管理手段は、取得済みの前記展開画像変換手段をリストにより管理していることを特徴としてもよい。
【００１１】
前記展開画像変換手段は、前記画像処理装置に搭載されたプリンタアプリケーションであることを特徴としてもよい。
【００１２】
また、上記課題を解決する為、本発明は、印刷機能を有する画像処理装置で印刷された画像を復元画像閲覧クライアントからの復元要求により復元可能な印刷画像復元装置の印刷画像復元方法であって、前記印刷画像復元装置が、印刷要求を行う印刷クライアントからの印刷データを前記画像処理装置へ転送する印刷サーバで、前記印刷クライアントから前記画像処理装置に送信されて前記画像処理装置で印刷される印刷データから複写された印刷データを受信する受信ステップと、前記画像処理装置から取得され、前記印刷データを印刷に利用する色数の展開画像へ変換する展開画像変換ステップと、前記展開画像を汎用形式の画像データに変換する画像データ変換ステップと、前記画像データを蓄積手段に蓄積する蓄積ステップと、前記復元画像閲覧クライアントからの復元要求に応じた前記画像データを前記蓄積手段から読み出して前記復元要求の要求元の復元画像閲覧クライアントへ送信する送信ステップとを有することを特徴とする。
【００１３】
また、上記課題を解決するため、本発明は、印刷機能を有する画像処理装置と、印刷要求を行う印刷クライアントからの印刷データを前記画像処理装置へ転送する印刷サーバと、前記画像処理装置で印刷された画像を復元画像閲覧クライアントからの復元要求により復元可能な印刷画像復元装置とを有する印刷画像復元システムであって、前記印刷サーバは、前記印刷要求を行う印刷クライアントからの印刷データを前記画像処理装置へ転送すると共に、前記印刷クライアントから前記画像処理装置に送信されて前記画像処理装置で印刷される印刷データから複写した印刷データを前記印刷画像復元装置へも転送する印刷データ転送手段を有し、前記印刷画像復元装置は、前記印刷サーバで、前記印刷クライアントから前記画像処理装置に送信されて前記画像処理装置で印刷される印刷データから複写された印刷データを前記印刷データ転送手段から受信する受信手段と、前記画像処理装置から取得され、前記印刷データを印刷に利用する色数の展開画像へ変換する展開画像変換手段と、前記展開画像を汎用形式の画像データに変換する画像データ変換手段と、前記画像データを蓄積する蓄積手段と、前記復元画像閲覧クライアントからの復元要求に応じた前記画像データを前記蓄積手段から読み出して前記復元要求の要求元である前記復元画像閲覧クライアントへ送信する送信手段とを有することを特徴とする。
【００１４】
前記印刷データに対応する前記展開画像変換手段が無いとき、前記画像処理装置から前記印刷データに対応する前記展開画像変換手段を取得する管理手段を更に有するようにしてもよい。
【００１５】
前記管理手段は、取得済みの前記展開画像変換手段をリストにより管理していることを特徴としてもよい。
【００１６】
前記展開画像変換手段は、前記画像処理装置に搭載されたプリンタアプリケーションであることを特徴としてもよい。
【００１７】
なお、本発明の構成要素、表現または構成要素の任意の組合せを、方法、装置、システム、コンピュータプログラム、記録媒体、データ構造などに適用したものも本発明の態様として有効である。
【発明の効果】
【００１８】
本発明によれば、印刷機能を有する画像処理装置で印刷された画像を容易に復元でき、使用者にとって使い勝手のよい印刷画像復元装置、印刷画像復元方法及び印刷画像復元システムを提供可能である。
【発明を実施するための最良の形態】
【００１９】
次に、本発明を実施するための最良の形態を、以下の実施例に基づき図面を参照しつつ説明していく。なお、本実施例では印刷機能を有する画像処理装置の一例として複合機を例に説明するが、プリンタ等、印刷機能を有する他の画像処理装置であってもよい。
【００２０】
図１は、本発明による印刷画像復元システムの一実施例の構成図である。図１の印刷画像復元システム１は、印刷クライアント１１，印刷サーバ１２，複合機１３，復元画像閲覧クライアント１４及び印刷画像復元サーバ１５が、インターネットやＬＡＮ等のネットワーク１６を介して接続された構成である。なお、図１の印刷画像復元システム１では印刷クライアント１１，印刷サーバ１２，複合機１３，復元画像閲覧クライアント１４及び印刷画像復元サーバ１５が一台ずつネットワーク１６に接続されているが、複数台ずつ接続される構成であってもよい。
【００２１】
印刷クライアント１１は、使用者の操作に基づき、複合機１３に印刷要求を行う端末である。印刷クライアント１１は例えばＴＣＰ／ＩＰを用いて印刷要求を行う。印刷サーバ１２は、ネットワーク１６上の印刷クライアント１１等からの印刷要求をスプール（一時保管）し、その印刷要求を複合機１３に順次送信する。なお、本発明による印刷サーバ１２は印刷要求に応じた印刷データを印刷画像復元サーバ１５に転送する。印刷サーバ１２は例えばＦＴＰやＨＴＴＰを用いて印刷データを印刷画像復元サーバ１５に転送する。
【００２２】
複合機１３は自機が有する印刷機能を利用し、印刷サーバ１２から受信した印刷要求に応じて印刷処理を行う。復元画像閲覧クライアント１４は、使用者の操作に基づき、複合機１３で印刷された画像の復元（閲覧）要求を行う端末である。復元画像閲覧クライアント１４は例えばＦＴＰやＨＴＴＰを用いて閲覧要求を行う。
【００２３】
印刷画像復元サーバ１５は印刷サーバ１２から転送された印刷データを蓄積する。印刷画像復元サーバ１５は、複合機１３から取得したプリンタアプリケーションで印刷データを画像展開したあと、展開画像を汎用形式の画像データに変換する。印刷画像復元サーバ１５は変換した汎用形式の画像データを蓄積する。そして、印刷画像復元サーバ１５は復元画像閲覧クライアント１４からの閲覧要求に応じた汎用形式の画像データを、閲覧要求の要求元である復元画像閲覧クライアント１４へ送信する。
【００２４】
復元画像閲覧クライアント１４は閲覧要求に応じた汎用形式の画像データを印刷画像復元サーバ１５から受信し、例えばビューアを利用して画像データに基づく画像を画面上に表示する。従って、復元画像閲覧クライアント１４の使用者は、複合機１３で印刷された画像を画面上で閲覧できる。
【００２５】
なお、図１の印刷画像復元システム１における処理の詳細は後述する。図１の印刷画像復元システム１に含まれる印刷クライアント１１，印刷サーバ１２，復元画像閲覧クライアント１４及び印刷画像復元サーバ１５は、例えば図２に示す汎用的なコンピュータシステムにソフトウェアをインストールすることによって実現される。ここでは、印刷画像復元サーバ１５を例に説明する。
【００２６】
図２は印刷画像復元サーバの一例のハードウェア構成図である。印刷画像復元サーバ１５は、それぞれバスＢで相互に接続されている入力装置２１，出力装置２２，ドライブ装置２３，補助記憶装置２４，主記憶装置２５，演算処理装置２６およびインターフェース装置２７で構成される。
【００２７】
入力装置２１はキーボードやマウスなどで構成され、各種信号を入力するために用いられる。出力装置２２はディスプレイ装置などで構成され、各種ウインドウやデータ等を表示するために用いられる。インターフェース装置２７は、モデム，ＬＡＮカードなどで構成されており、ネットワーク１６に接続する為に用いられる。
【００２８】
印刷画像復元サーバ１５を動作させるプログラムは例えば記録媒体２８の配布やネットワーク１６からのダウンロードなどによって提供される。プログラムを記録した記録媒体２８は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００２９】
また、プログラムを記録した記録媒体２８がドライブ装置２３にセットされると、プログラムは記録媒体２８からドライブ装置２３を介して補助記憶装置２４にインストールされる。ネットワーク１６からダウンロードされたプログラムは、インターフェース装置２７を介して補助記憶装置２４にインストールされる。
【００３０】
補助記憶装置２４は、インストールされたプログラムを格納すると共に、必要なファイル，データ等を格納する。主記憶装置２５は、コンピュータの起動時に補助記憶装置２４からプログラムを読み出して格納する。そして、演算処理装置２６は主記憶装置２５に格納されたプログラムに従って、後述するような各種処理を実現している。
【００３１】
図３は本発明による印刷画像復元システムの一実施例の処理ブロック図である。図３の処理ブロック図が表す印刷画像復元システム１は、印刷クライアント１１，印刷サーバ１２，複合機１３，復元画像閲覧クライアント１４及び印刷画像復元サーバ１５を有する構成である。
【００３２】
印刷クライアント１１はアプリケーション３１を有する構成である。印刷サーバ１２はポートモニタ３２及び印刷データ転送モジュール３３を有する構成である。複合機１３はＩ／Ｏ資源管理部３４，入力データ解析部３５，ネットワークコントロールサービス（プリンタアプリ提供部）３６，スキャナアプリ（スキャナアプリケーション）３７，ＦＡＸアプリ３８，プリンタアプリ３９，ハードウェアリソース制御モジュール４０を有する構成である。なお、プリンタアプリ３９は印刷データ通信モジュール４１，印刷ジョブ生成モジュール４２及び画像展開モジュール４３を有する構成である。
【００３３】
復元画像閲覧クライアント１４はビューア４４及び復元画像要求部４５を有する構成である。印刷画像復元サーバ１５は蓄積部４６及び制御部４７を有する構成である。蓄積部４６は、印刷データ，プリンタアプリ，プリンタアプリリスト，変換後印刷データ等を蓄積する。制御部４７は印刷データ変換モジュール４８及びプリンタアプリ管理モジュール４９を有する構成である。
【００３４】
図３の印刷画像復元システム１は図４に示したシーケンス図のように処理を行う。図４は印刷画像復元システムの処理手順を表したシーケンス図である。
【００３５】
ステップＳ１に進み、印刷クライアント１１のアプリケーション３１は、印刷要求に対応する使用者の操作に基づき、印刷要求を行う。印刷サーバ１２のポートモニタ３２は印刷クライアント１１からの印刷要求を監視している。ポートモニタ３２は印刷クライアント１１からの印刷要求の受信を確認すると、その印刷データを印刷データ転送モジュール３３に送信する。
【００３６】
ステップＳ２に進み、印刷データ転送モジュール３３はポートモニタ３２から受信した印刷データをコピー（複写）して印刷画像復元サーバ１５に転送する。印刷データを転送された印刷画像復元サーバ１５は、その印刷データを蓄積部４６に蓄積する。また、印刷画像復元サーバ１５のプリンタアプリ管理モジュール４９は転送された印刷データに対応するプリンタアプリが蓄積部４６に蓄積済みであるかをプリンタアプリリストに基づいて判定し、蓄積済みで無ければステップＳ３，Ｓ４において複合機１３からプリンタアプリ３９を取得する。
【００３７】
複合機１３からのプリンタアプリ３９の取得は、プリンタアプリ管理モジュール４９が複合機１３のネットワークコントロールサービス３６へ要求することで行う。ステップＳ５に進み、印刷画像復元サーバ１５の印刷データ変換モジュール４８は複合機１３から取得したプリンタアプリ３９で印刷データを印刷に利用する色数（Ｃ，Ｍ，Ｙ，Ｋ等）の展開画像へ画像展開する。
【００３８】
ステップＳ６に進み、印刷データ変換モジュール４８は画像展開した展開画像を汎用形式の画像データに変換する。そして、ステップＳ７に進み、蓄積部４６は変換された汎用形式の画像データを変換後印刷データとして蓄積する。
【００３９】
ステップＳ８に進み、印刷データ転送モジュール３３はポートモニタ３２から受信した印刷データを複合機１３に順次送信する。複合機１３のＩ／Ｏ資源管理部３４は受信した印刷データを入力データ解析部３５に送信する。ステップＳ９に進み、入力データ解析部３５は受信した印刷データをプリンタアプリ３９の印刷データ通信モジュール４１に転送する。ステップＳ１０に進み、プリンタアプリ３９の印刷データ通信モジュール４１は印刷ジョブ生成モジュール４２へ印刷データを転送する。
【００４０】
印刷ジョブ生成モジュール４２は画像展開モジュール４３を利用して、印刷データを印刷に利用する色数の展開画像へ画像展開する。ステップＳ１１に進み、印刷ジョブ生成モジュール４２は画像展開した展開画像に基づきハードウェアリソース制御モジュール４０を呼び出す。ステップＳ１２に進み、ハードウェアリソース制御モジュール４０は展開画像に基づき印刷処理を行う。
【００４１】
ステップＳ１３に進み、復元画像閲覧クライアント１４の復元画像要求部４５は、閲覧要求に対応する使用者の操作に基づき、印刷画像復元サーバ１５へ閲覧要求を行う。印刷画像復元サーバ１５は、復元画像閲覧クライアント１４の復元画像要求部４５からの閲覧要求に応じた変換後印刷データを蓄積部４６から読み出す。
【００４２】
ステップＳ１４に進み、印刷画像復元サーバ１５は蓄積部４６から読み出した変換後印刷データを復元画像閲覧クライアント１４の復元画像要求部４５へ送信する。復元画像閲覧クライアント１４の復元画像要求部４５は閲覧要求に応じた変換後印刷データを印刷画像復元サーバ１５から受信し、ビューア４４を利用して変換後印刷データに基づく画像を画面上に表示する。従って、復元画像閲覧クライアント１４の使用者は、複合機１３で印刷された画像を何時でも画面上で閲覧できる。
【００４３】
図５は印刷サーバの印刷データ転送処理を表したフローチャートである。ステップＳ２１に進み、印刷サーバ１２のポートモニタ３２は印刷クライアント１１からの印刷要求を監視している。
【００４４】
ステップＳ２２に進み、ポートモニタ３２は印刷クライアント１１からの印刷要求を受信済みか未受信かを判定する。未受信であれば、ポートモニタ３２はステップＳ２１の処理に戻る。受信済みであれば、ポートモニタ３２はステップＳ２３に進み、印刷クライアント１１からの印刷データを印刷データ転送モジュール３３に送信する。
【００４５】
印刷データ転送モジュール３３は受信した印刷データをコピーして印刷画像復元サーバ１５に転送する。また、ステップＳ２４に進み、印刷データ転送モジュール３３は受信した印刷データを複合機１３に順次送信する。
【００４６】
図６は複合機のデータ処理を表したフローチャートである。ステップＳ３１では複合機１３のＩ／Ｏ資源管理部３４が、受信したデータを入力データ解析部３５に送信する。ステップＳ３２に進み、入力データ解析部３５は受信したデータを解析する。
【００４７】
受信したデータがＦＡＸデータであれば、入力データ解析部３５は受信したデータをＦＡＸアプリ３８へ転送する。受信したデータがスキャンデータであれば、入力データ解析部３５は受信したデータをスキャナアプリ３７へ転送する。受信したデータが印刷データであれば、入力データ解析部３５はステップＳ３３に進み、印刷サーバ１２から受信した印刷データをプリンタアプリ３９の印刷データ通信モジュール４１に転送する。
【００４８】
ステップＳ３５に進み、プリンタアプリ３９の印刷データ通信モジュール４１は受信した印刷データを印刷ジョブ生成モジュール４２へ転送する。印刷ジョブ生成モジュール４２は画像展開モジュール４３を利用して、印刷データを印刷に利用する色数の展開画像へ画像展開する。
【００４９】
ステップＳ３６に進み、印刷ジョブ生成モジュール４２は、画像展開した展開画像に基づきハードウェアリソース制御モジュール４０を呼び出す。ハードウェアリソース制御モジュール４０は展開画像に基づき印刷処理を行う。
【００５０】
図７は印刷画像復元サーバの印刷画像復元処理を表したフローチャートである。印刷画像復元サーバ１５は印刷サーバ１２から印刷データが転送されると所定の印刷データ受信フォルダで受信する。印刷画像復元サーバ１５はステップＳ４１に進み、印刷データ受信フォルダを監視する。
【００５１】
ステップＳ４２に進み、印刷画像復元サーバ１５は印刷データの受信を確認する。印刷データの受信を確認できなければ、印刷画像復元サーバ１５はステップＳ４１に戻る。印刷データの受信を確認できれば、印刷画像復元サーバ１５はステップＳ４３に進み、その印刷データを蓄積部４６に蓄積する。また、印刷画像復元サーバ１５のプリンタアプリ管理モジュール４９は転送された印刷データに対応するプリンタアプリが蓄積部４６に蓄積済みであるか（存在するか）をプリンタアプリリストに基づいて判定する。
【００５２】
蓄積済みで無ければ、プリンタアプリ管理モジュール４９はステップＳ４５に進み、複合機１３からプリンタアプリ３９を取得して蓄積部４６に保存する。複合機１３からのプリンタアプリ３９の取得は、プリンタアプリ管理モジュール４９が、複合機１３のネットワークコントロールサービス３６へ要求することで行う。ステップＳ４６に進み、プリンタアプリ管理モジュール４９は保存したプリンタアプリ３９をプリンタアプリリストに追記したあと、ステップＳ４７に進む。また、ステップＳ４４において蓄積済みであると判定した場合も（ステップＳ４４においてＹＥＳ）、ステップＳ４７に進む。
【００５３】
ステップＳ４７では、印刷画像復元サーバ１５の印刷データ変換モジュール４８が複合機１３から取得したプリンタアプリ３９に印刷データの変換を依頼する。ステップＳ４９に進み、複合機１３から取得したプリンタアプリ３９は印刷データを印刷に利用する色数の展開画像へ画像展開する。
【００５４】
ステップＳ５０に進み、印刷データ変換モジュール４８は画像展開した展開画像の色数が単色か複数かを判定する。単色であれば、印刷データ変換モジュール４８は画像展開した展開画像を単色（二値）の汎用形式の画像データに変換する。
【００５５】
色数が複数であれば、印刷データ変換モジュール４８はステップＳ５１に進み、画像展開した展開画像（Ｃ，Ｍ，Ｙ，Ｋ）を結合し、多値の汎用形式の画像データ（例えばＲＧＢ等）に変換する。変換後の二値画像又は多値画像は、変換後印刷データとして蓄積部４６に蓄積される。
【００５６】
以上、本発明による印刷画像復元システム１によれば、複合機１３で印刷された画像を後で確認しようとする場合、ネットワーク１６経由で接続された復元画像閲覧クライアント１４に表示させて閲覧できるので、使用者にとって使い勝手のよいものとなる。複合機１３で印刷された画像は、汎用形式の画像データに変換されたあと蓄積される為、復元画像閲覧クライアント１４のビューア４４等で容易に表示できる。
【００５７】
また、複合機１３で印刷された画像は、汎用形式の画像データに変換されたあと蓄積される為、複合機１３から取得したプリンタアプリ３９を使用後に削除するような構成も蓄積部４６の蓄積領域を有効利用する為に有用である。
【００５８】
本発明は、具体的に開示された実施例に限定されるものではなく、特許請求の範囲から逸脱することなく、種々の変形や変更が可能である。
【図面の簡単な説明】
【００５９】
【図１】本発明による印刷画像復元システムの一実施例の構成図である。
【図２】印刷画像復元サーバの一例のハードウェア構成図である。
【図３】本発明による印刷画像復元システムの一実施例の処理ブロック図である。
【図４】印刷画像復元システムの処理手順を表したシーケンス図である。
【図５】印刷サーバの印刷データ転送処理を表したフローチャートである。
【図６】複合機のデータ処理を表したフローチャートである。
【図７】印刷画像復元サーバの印刷画像復元処理を表したフローチャートである。
【符号の説明】
【００６０】
１    印刷画像復元システム
１１    印刷クライアント
１２    印刷サーバ
１３    複合機
１４    復元画像閲覧クライアント
１５    印刷画像復元サーバ
１６    ネットワーク
２１    入力装置
２２    出力装置
２３    ドライブ装置
２４    補助記憶装置
２５    主記憶装置
２６    演算処理装置
２７    インターフェース装置
２８    記録媒体
３１    アプリケーション
３２    ポートモニタ
３３    印刷データ転送モジュール
３４    Ｉ／Ｏ資源管理部
３５    入力データ解析部
３６    ネットワークコントロールサービス（プリンタアプリ提供部）
３７    スキャナアプリ（スキャナアプリケーション）
３８    ＦＡＸアプリ
３９    プリンタアプリ
４０    ハードウェアリソース制御モジュール
４１    印刷データ通信モジュール
４２    印刷ジョブ生成モジュール
４３    画像展開モジュール
４４    ビューア
４５    復元画像要求部
４６    蓄積部
４７    制御部
４８    印刷データ変換モジュール
４９    プリンタアプリ管理モジュール
Ｂ    バス
【図１】
0005019972.tif 000002
【図２】
0005019972.tif 000003
【図３】
0005019972.tif 000004
【図４】
0005019972.tif 000005
【図５】
0005019972.tif 000006
【図６】
0005019972.tif 000007
【図７】
0005019972.tif 000008